【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
データを受信するデータ受信装置に特定の処理を実行させるための処理指定情報を格納した付加情報付データを送信するデータ送信装置であって、
データ受信装置に対して送信する予定の付加情報付データを送信設定管理部に登録する送信設定手段と、
送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、
を備えており、
上記処理指定情報は、上記データ受信装置が実行すべき処理を指定するコマンドを示す情報と、上記データ受信装置が当該処理を実行するために参照するパラメータを示す情報と、の組み合わせであることを特徴とするデータ送信装置。
【請求項２】
上記送信設定手段は、上記データ受信装置に対して付加情報付データを送信した後、送信した付加情報付データを上記送信設定管理部から削除するか、または送信済であることを示す情報を当該付加情報付データに関連付けて上記送信設定管理部に登録することを特徴とする請求項１に記載のデータ送信装置。
【請求項３】
上記データ受信装置に対して付加情報付データが送信可能であるか否かを判定する判定手段をさらに備えており、
前記送信設定手段は、上記データ受信装置に対して付加情報付データを送信できない場合に、当該付加情報付データを上記送信設定管理部に登録することを特徴とする請求項１または２に記載のデータ送信装置。
【請求項４】
上記データ受信装置に対して付加情報付データが送信可能であるか否かを判定する判定手段と、
上記データ受信装置に対して付加情報付データが送信できる場合には、当該付加情報付データの即時送信を実行する項目、および、当該付加情報付データの上記送信設定管理部への登録を実行する項目の少なくともいずれかを表示部に表示する項目として設定し、上記データ受信装置に対して付加情報付データが送信できない場合には、当該付加情報付データの上記送信設定管理部への登録を実行する項目を表示部に表示する項目として設定する項目設定手段と、
上記項目設定手段により設定された項目を表示部に表示する表示制御手段と、
を備えていることを特徴とする請求項１または２に記載のデータ送信装置。
【請求項５】
上記送信設定手段は、付加情報付データに当該付加情報付データの送信時間を関連付けて送信設定管理部に登録し、
上記送信手段は、送信要求を受信するか、または上記データ受信装置との通信が可能になったときに、上記送信設定管理部に登録されている付加情報付データであって、当該送信要求を受信した時刻を含む送信時間に関連付けて登録されている付加情報付データを、当該データ送信装置に対して上記送信要求を送信したデータ受信装置に送信することを特徴とする請求項１から４のいずれか１項に記載のデータ送信装置。
【請求項６】
上記送信設定手段は、上記付加情報付データに当該付加情報付データの送信に用いる伝送媒体をさらに関連付けて上記送信設定管理部に登録し、
上記送信手段は、上記付加情報付データに関連付けられている伝送媒体を用いて、当該付加情報付データを送信することを特徴とする請求項１から５のいずれか１項に記載のデータ送信装置。
【請求項７】
上記送信設定手段は、上記付加情報付データに格納されている処理指定情報に応じて、上記付加情報付データと関連付けて上記送信設定管理部に登録する伝送媒体を決定することを特徴とする請求項６に記載のデータ送信装置。
【請求項８】
上記送信設定手段は、上記送信設定管理部に登録されている第１の付加情報付データの送信時間と、上記送信設定管理部に登録しようとする第２の付加情報付データの送信時間
とが重複する場合、第１の付加情報付データおよび第２の付加情報付データのそれぞれに対して、送信順序を関連付けて登録することを特徴とする請求項５に記載のデータ送信装置。
【請求項９】
上記付加情報付データを受信すると共に、受信した付加情報付データをデータ記録部に記録する付加情報付データ受信手段をさらに備えており、
上記送信設定手段は、上記データ記録部に記録されている付加情報付データから選択した付加情報付データをデータ受信装置に対して送信する予定の付加情報付データとして送信設定管理部に登録することを特徴とする請求項１から８のいずれか１項に記載のデータ送信装置。
【請求項１０】
上記付加情報付データに格納されている処理指定情報の種類に応じて、当該データ送信装置において処理可能な処理項目を設定する処理項目設定手段と、
当該処理項目設定手段により設定された処理項目を表示部に表示する表示制御手段と、をさらに備えていることを特徴とする請求項１から９のいずれか１項に記載のデータ送信装置。
【請求項１１】
上記付加情報付データは、当該付加情報付データを受信するデータ受信装置に特定の処理を実行させるためのパラメータが付随する処理指定情報を格納した画像データであることを特徴とする請求項１から１０のいずれか１項に記載のデータ送信装置。
【請求項１２】
上記付加情報付データを表示部に表示する表示制御手段をさらに備えており、
上記表示制御手段は、上記処理指定情報が格納されていることを示す識別情報を上記付加情報付データに重畳させて上記表示部に表示することを特徴とする請求項１から１１のいずれか１項に記載のデータ送信装置。
【請求項１３】
上記表示制御手段は、当該付加情報付データに格納されている処理指定情報の種類に応じた識別情報を、当該付加情報付データに重畳させて上記表示部に表示することを特徴とする請求項１２に記載のデータ送信装置。
【請求項１４】
上記データ受信装置は、カーナビゲーションシステムであり、
上記処理指定情報は、上記カーナビゲーションシステムにおいて実行可能である処理を実行させるためのパラメータが付随していることを特徴とする請求項１１に記載のデータ送信装置。
【請求項１５】
上記パラメータは、目標地点までの経路探索を実行させるためのパラメータまたは目標地点の登録処理を実行させるためのパラメータであることを特徴とする請求項１４に記載のデータ送信装置。
【請求項１６】
特定の処理を実行するための処理指定情報を格納した付加情報付データを受信するデータ受信装置と、当該データ受信装置に上記付加情報付データを送信するデータ送信装置と、を備えたデータ通信システムであって、
上記処理指定情報は、上記データ受信装置が実行すべき処理を指定するコマンドを示す情報と、上記データ受信装置が当該処理を実行するために参照するパラメータを示す情報と、の組み合わせであり、
上記データ送信装置は、
データ受信装置に対して送信する予定の付加情報付データを送信設定管理部に登録する送信設定手段と、
送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、を備えており、
上記データ受信装置は、
データ送信装置に対して付加情報付データの送信を要求する送信要求を送信する送信要求送信手段と、
上記送信要求を送信したデータ送信装置から送信された付加情報付データを受信する受信手段と、
受信した付加情報付データに格納されている処理指定情報が示すコマンドによって指定される処理を、当該処理指定情報が示すパラメータを参照して実行する処理実行手段と、を備えていることを特徴とするデータ通信システム。
【請求項１７】
上記データ送信装置は携帯型情報端末であり、上記データ受信装置はカーナビゲーションシステムであることを特徴とする請求項１６に記載のデータ通信システム。
【請求項１８】
データを受信するデータ受信装置に特定の処理を実行させるための処理指定情報を格納した付加情報付データを送信するデータ送信装置におけるデータ送信方法であって、
データ受信装置に対して送信する予定の付加情報付データを送信設定管理部に登録する
送信設定ステップと、
送信要求を受信するか、または上記データ受信装置との通信が可能になったときに、上記送信設定管理部に登録されている付加情報付データを、当該データ送信装置に対して上記送信要求を送信したデータ受信装置に送信する送信ステップと、
を含み、
上記処理指定情報は、上記データ受信装置が実行すべき処理を指定するコマンドを表す情報と、上記データ受信装置が当該処理を実行するために参照するパラメータを表す情報と、の組み合わせであることを特徴とするデータ送信方法。
【請求項１９】
請求項１から１５のいずれか１項に記載のデータ送信装置が備えているコンピュータを動作させるプログラムであって、上記コンピュータを上記の各手段として機能させるためのプログラム。
【請求項２０】
請求項１９に記載のプログラムを記録しているコンピュータ読み取り可能な記録媒体。